(57)【特許請求の範囲】
【請求項１】
被写体像を撮像して画像情報を生成する撮像手段と、
前記撮像手段もしくはマイク部もしくは外部入力端子を介して、前記画像情報もしくは音声情報を含む記録情報を取得する情報取得手段と、
前記情報取得手段から記録情報を取り込み、該記録情報を記録媒体に記録する記録手段と、
前記記録媒体に記録された記録情報を取り込み、該取り込んだ記録情報を外部に転送する転送手段と、
前記記録媒体上に記録された記録情報を示す縮小表示用画像を表示する表示手段と
を備えてなる電子カメラにおいて、
前記表示手段は、
前記転送手段により外部に転送された記録情報に関して、転送済みを示す情報を前記縮小表示用画像とともに表示し、
更に、前記表示手段は、前記転送済みを示す情報の表示形態を、前記転送手段の転送形態もしくは転送先に応じて変更することにより、該転送形態もしくは該転送先を識別可能にする
ことを特徴とする電子カメラ。
【請求項２】
請求項１に記載の電子カメラにおいて、
前記表示手段は、
前記転送手段が複数の記録情報を順次転送する場合、個々の記録情報の転送完了ごとに転送済みを示す情報を対応する縮小表示用画像に逐次表示する
ことを特徴とする電子カメラ。
【請求項３】
請求項１に記載の電子カメラにおいて、
前記表示手段は、
前記転送手段の転送形態として、通信回線を介した転送であるか否かを少なくとも識別可能に表示する
ことを特徴とする電子カメラ。
【請求項４】
被写体像を撮像して画像情報を生成する撮像手段と、
前記撮像手段もしくはマイク部もしくは外部入力端子を介して、前記画像情報もしくは音声情報を含む記録情報を取得する情報取得手段と、
前記情報取得手段から記録情報を取り込み、該記録情報を記録媒体に記録する記録手段と、
前記記録媒体に記録された記録情報を取り込み、該取り込んだ記録情報を外部に転送する転送手段と、
前記記録媒体上に記録された記録情報を示す縮小表示用画像を表示する表示手段と
を備えてなる電子カメラにおいて、
前記表示手段は、
前記転送手段により外部に転送された記録情報に関して、該記録情報の外部への転送数を識別可能に示す転送済みを示す情報を前記縮小表示用画像とともに表示する
ことを特徴とする電子カメラ。
【発明の詳細な説明】
【０００１】
【発明の属する技術分野】
本発明は、被写体像を撮像して記録媒体に記録し、かつ記録媒体上の記録情報を外部に転送する電子カメラに関する。
【０００２】
【従来の技術】
従来、撮像素子を介して撮像された画像情報を、記録媒体に記録する電子カメラが知られている。
このような電子カメラでは、記録媒体上の記録情報を適時に消去することにより、記録媒体を繰り返し使用することが可能となる。そのため、従来の電子カメラには、記録情報を消去するための機能が様々に備えられている。
【０００３】
例えば、このような消去機能としては、手動の指示操作により記録媒体上の記録情報を一括消去するものが知られている（例えば、特開平６−９０４２２号公報）。
また、記録媒体上の記録情報をモニタ用画面などで確認しながら、手動の指示操作により逐一消去するものも知られている。
【０００４】
一方、従来の電子カメラでは、記録媒体上の記録情報を外部に転送する機能を有するものも多い。このような転送機能を用いて、記録情報を外部機器に転送することにより、記録情報をバックアップしたり、記録情報を適宜に加工することなどが可能となる。
また、このような転送機能を用いて、記録情報を外部のプリント装置などに直接転送することにより、プリント出力を得ることも可能となる。
【０００５】
【発明が解決しようとする課題】
通常、電子カメラから外部へ転送された記録情報については、転送先で保存や出力などが行われるため、電子カメラ側ではいずれ消去されるケースが多い。
【０００６】
このような転送済みの記録情報を消去する場合、操作者は、転送した際の記憶やメモに頼りながら、転送済みの記録情報を逐一選別しなければならず、そのための選別作業が煩雑かつ不正確であるという問題点があった。
そこで、本発明では、個々の記録情報について転送されたものか否かを、操作者側が意識して記憶する必要がない電子カメラを提供することを目的とする。
【０００７】
本発明の別の目的は、複数の記録情報を転送する際に、転送処理の進捗状況を適切に表示する電子カメラを提供することである。
本発明の別の目的は、操作者側が、記録情報の転送形態もしくは転送先の違いに応じて、消去対象の記録情報を適切に選ぶことができる電子カメラを提供することである。
【０００８】
【課題を解決するための手段】
図１は、本発明を説明する原理ブロック図である。以下、図１に対応付けて、課題の解決手段を説明する。
請求項１に記載の発明は、被写体像を撮像して画像情報を生成する撮像手段１と、撮像手段１もしくはマイク部もしくは外部入力端子を介して、画像情報もしくは音声情報を含む記録情報を取得する情報取得手段２と、情報取得手段２から記録情報を取り込み、該記録情報を記録媒体Ｚに記録する記録手段３と、記録媒体Ｚに記録された記録情報を取り込み、該取り込んだ記録情報を外部に転送する転送手段４と、記録媒体Ｚ上に記録された記録情報を示す縮小表示用画像を表示する表示手段５とを備えてなる電子カメラにおいて、表示手段５は、転送手段４により外部に転送された記録情報に関して、転送済みを示す情報を縮小表示用画像とともに表示する。
更に、表示手段５は、転送済みを示す情報の表示形態を、転送手段４の転送形態もしくは転送先に応じて変更することにより、該転送形態もしくは該転送先を識別可能にすることを特徴とする。
【０００９】
請求項２に記載の発明は、請求項１に記載の電子カメラにおいて、表示手段５は、転送手段４が複数の記録情報を順次転送する場合、個々の記録情報の転送完了ごとに転送済みを示す情報を対応する縮小表示用画像に逐次表示することを特徴とする。
【００１０】
請求項３に記載の発明は、請求項１に記載の電子カメラにおいて、表示手段５は、前記転送手段４の転送形態として、通信回線を介した転送であるか否かを少なくとも識別可能に表示することを特徴とする。
請求項４に記載の発明は、被写体像を撮像して画像情報を生成する撮像手段１と、撮像手段１もしくはマイク部もしくは外部入力端子を介して、画像情報もしくは音声情報を含む記録情報を取得する情報取得手段２と、情報取得手段２から記録情報を取り込み、該記録情報を記録媒体Ｚに記録する記録手段３と、記録媒体Ｚに記録された記録情報を取り込み、該取り込んだ記録情報を外部に転送する転送手段４と、記録媒体Ｚ上に記録された記録情報を示す縮小表示用画像を表示する表示手段５とを備えてなる電子カメラにおいて、表示手段５は、転送手段４により外部に転送された記録情報に関して、該記録情報の外部への転送数を識別可能に示す転送済みを示す情報を縮小表示用画像とともに表示することを特徴とする。
【００１１】
（作用）
請求項１にかかわる電子カメラでは、撮像手段１において撮像された画像情報などが、記録情報として情報取得手段２に取得される。記録手段３は、この記録情報を記録媒体Ｚに記録する。
転送手段４は、記録媒体Ｚから記録情報を取り込んで、外部に転送する。
【００１２】
表示手段５は、転送手段４により転送を完了した記録情報について、転送済みを示す情報を、記録情報を示す縮小表示用画像とともに表示する。
このような情報表示により、転送済みの記録情報か否かを識別することが可能となる。したがって、操作者側は、転送した際の記憶やメモなどに頼ることなく、転送済みの記録情報を消去対象などに選別することが可能となる。
さらに、請求項１にかかわる電子カメラでは、表示手段５が、転送手段４の転送形態もしくは転送先に応じて、情報表示の表示形態を変更する。
したがって、転送済みか否かが表示されるのみならず、転送時の転送形態もしくは転送先までも識別可能となる。
通常、電子カメラから記録情報の転送を行った場合、記録情報を第三者に譲渡したケースと、バックアップをとったケースとの２通りが考えられる。
前者のケースでは、記録情報がバックアップされないため、たとえ転送済みであっても、その記録情報の消去は慎重に行わなければならなかった。
しかしながら、請求項３の発明では、転送時の転送形態もしくは転送先を情報表示から判別できるので、消去対象の選別などを的確かつ慎重に行うことが可能となる。
【００１３】
請求項２にかかわる電子カメラでは、個々の記録情報の転送が完了するごとに、表示手段５が転送済みを示す情報を対応する縮小表示用画像に逐次表示する。
そのため、転送処理が進むに従って、転送済みの情報表示を付した記録情報の数が徐々に増える。このような情報表示の変化により、操作者側は、転送処理の進み具合を確認することができる。
【００１４】
また、転送処理が異常終了した場合には、その時点までに転送を完了した記録情報について、転送済みの情報表示がなされる。したがって、操作者側は、どの記録情報まで転送完了できたかを容易に判断し、事後の転送処理を効率良く行うことが可能となる。
【００１６】
請求項３にかかわる電子カメラでは、表示手段５が、転送手段４の転送形態として、通信回線を介して転送したものか否かを識別可能に表示する。
【００１７】
通常、電子カメラから通信回線を介して記録情報を転送した場合、記録情報を第三者に譲渡したケースが多い。
このようなケースでは、記録情報がバックアップされないため、たとえ転送済みであっても、その記録情報の消去は的確かつ慎重に行う必要があった。
しかしながら、請求項４の発明では、通信回線を介して転送した記録情報を情報表示から明確に判別できるので、消去対象の選別作業などを的確かつ慎重に行うことが可能となる。
請求項４にかかわる電子カメラでは、操作者は、転送済みの表示を、転送すべき所に全て転送したか否かなどの有益な判断材料とすることができる。
【００１８】
【発明の実施の形態】
以下、図面に基づいて、本発明における実施の形態を説明する。
図２は、実施形態の構成を示す図である。
【００１９】
図３は、本実施形態の外観（背面側）を示す斜視図である。
図２および図３において、電子カメラ１１の筐体正面には、撮影光学系１２が取り付けられ、撮影光学系１２の光軸上にはＣＣＤ撮像素子１３が配置される。この撮影光学系１２はズーム機能を有する光学系であり、モータドライブ回路１２ａに駆動されるズームモータ１２ｂにより焦点距離が可変される。
【００２０】
一方、ＣＣＤ撮像素子１３の画像出力は、γ変換やＡ／Ｄ変換などを行う撮像回路１４を介してマイクロコンピュータ１５に入力される。
マイクロコンピュータ１５のデータバスには、汎用のインターフェース部１６が接続される。このインターフェース部１６は、通信ケーブルを介して外部のコンピュータ１７などへデータ転送を行う。
【００２１】
電子カメラ１１の筐体背面には液晶モニタ１９が配置され、液晶モニタ１９は、液晶ドライブ回路１８を介してマイクロコンピュータ１５に制御される。
電子カメラ１１の筐体側面には、メモリーカード２１が着脱自在に挿入されるコネクタ部２０が設けられ、マイクロコンピュータ１５は、コネクタ部２０を介してメモリーカード２１に、記録情報を公知のファイル形式に従って記録する。
【００２２】
その他、マイクロコンピュータ１５のデータバスには、画像情報を一時記憶する画像記憶メモリ２２，ＤＣＴ変換や可変長符号化に基づく圧縮伸長を行う圧縮／伸長回路２３，種々の制御情報などを記憶するメモリー２４，マイクロコンピュータ１５側からの制御により時間計測を行うタイマー２５，電話回線を介してデータ通信を行う通信モデム２６が接続される。
【００２３】
また、電子カメラ１１の筐体上面には、メインスイッチ３０，レリーズ３１，ズームインスイッチ３３およびズームアウトスイッチ３４が配置される。
さらに、電子カメラ１１の筐体背面には、モードスイッチ３２，前方選択スイッチ３５，後方選択スイッチ３６，確定スイッチ３７，取り消しスイッチ３８およびファインダ３９が配置される。
【００２４】
これらのスイッチ群３０〜３８は、マイクロコンピュータ１５にそれぞれ接続される。
なお、請求項記載の発明と本実施形態との対応関係については、撮像手段１はＣＣＤ撮像素子１３および撮像回路１４に対応し、情報取得手段２はマイクロコンピュータ１５の「撮像回路１４から画像情報を取得する機能」に対応し、記録手段３はコネクタ部２０およびマイクロコンピュータ１５の「画像情報をメモリーカード２１に記録する機能」に対応し、転送手段４はインターフェース部１６および通信モデム２６に対応し、表示手段５はマイクロコンピュータ１５の「液晶モニタ１９に情報表示を行う機能」に対応する。
【００２５】
このような構成の電子カメラ１１では、電源投入の直後、動作モードが撮影モードに初期設定される。
この撮影モードでは、ＣＣＤ撮像素子１３において光電変換された画像情報が、レリーズ３１の押圧操作に同期して、マイクロコンピュータ１５に取り込まれる。
マイクロコンピュータ１５は、この画像情報を圧縮／伸長回路２３を介して圧縮処理した後、記録情報としてメモリーカード２１内の空き領域に記録する。
【００２６】
一方、マイクロコンピュータ１５は、モードスイッチ３２の押圧操作を常に監視して、押圧操作ごとに下記の順番で動作モードを変更する。
┌→撮影モード  →  転送モード  →  消去モード┐
└──────────────────────┘
以下、上述した撮影モード以外の動作について個別に説明する。
【００２７】
（転送モード時の動作）
図４は、転送モード時の動作を示す流れ図である。
電子カメラ１１が転送モードに設定されると、マイクロコンピュータ１５は、液晶モニタ１９に転送形態の選択画面（図５）を表示する。この選択画面には、「ＰＣ（パーソナルコンピュータ）への転送」と「電話回線」とからなる２つの転送形態が選択肢として表示される（ステップＳ１）。
【００２８】
この状態で、マイクロコンピュータ１５は、選択スイッチ３５，３６の操作入力に従って選択肢のフォーカス表示を交互に移動し、確定スイッチ３７の押圧時点における転送形態の選択結果を取得する（ステップＳ２）。
次に、マイクロコンピュータ１５は、メモリーカード２１に格納されている記録情報を順次取り込み、縮小表示に用いるサムネイル画像を生成する。
【００２９】
すなわち、画像情報からなる記録情報については画素数を縦横同比率で間引くことにより、サムネイル画像が生成される。また、音声情報のみからなる記録情報については、トーン記号等の絵表示と再生時間などの文字表示とを合成することにより、サムネイル画像が生成される。
マイクロコンピュータ１５は、これらのサムネイル画像を液晶モニタ１９上に配列表示する（ステップＳ３）。
【００３０】
この状態で、操作者は、選択スイッチ３５，３６および確定スイッチ３７を操作して、転送対象とする記録情報を液晶モニタ１９上から順次選択する。マイクロコンピュータ１５は、このように選ばれた記録情報のポインタ情報をメモリー２４上に設けられる転送対象リストに逐次追加する（ステップＳ４）。
マイクロコンピュータ１５は、上記の選択処理を、確定スイッチ３７がダブルクリックされるまで繰り返す（ステップＳ５のＮＯ側）。
【００３１】
ここで、確定スイッチ３７がダブルクリックされると（ステップＳ５のＹＥＳ側）、マイクロコンピュータ１５は、ステップＳ２で既に選択された転送形態に従ってデータ転送を開始する（ステップＳ６）。
すなわち、電話回線を経由してデータ転送を行う場合、マイクロコンピュータ１５は、通信モデム２６に指令を送って電話回線を接続状態（オフフック）に変更する。この状態で、マイクロコンピュータ１５は、通信モデム２６を介して、予め設定されたダイアル番号の発信を行う（ステップＳ７）。
【００３２】
このような電話回線の呼設定が完了すると、マイクロコンピュータ１５は、転送対象リストに挙げられた記録情報の１つをメモリーカード２１から読み出し、通信モデム２６を介して被呼端末へデータ転送する（ステップＳ８）。このような被呼端末としては、例えば、相手先のコンピュータや、パソコン通信などのメールサーバーが想定される。
【００３３】
マイクロコンピュータ１５は、通信モデム２６を介してデータ転送が正常終了するか否かを監視する（ステップＳ９）。万一、異常終了を検知した場合（ステップＳ９のＮＯ側）、マイクロコンピュータ１５は、液晶モニタ１９に異常警告を表示して（ステップＳ１０）、転送モードの動作を終了する。
一方、データ転送が正常終了した場合（ステップＳ９のＹＥＳ側）、マイクロコンピュータ１５は、転送した記録情報のサムネイル画像に、図６に示すような電話アイコン５１を添付表示する（ステップＳ１１）。
【００３４】
マイクロコンピュータ１５は、全ての転送対象について転送処理が完了していない場合（ステップＳ１２のＮＯ側）、ステップＳ８に戻って上記の転送動作を繰り返す。
また、全ての転送対象について転送処理が完了すると（ステップＳ１２のＹＥＳ側）、マイクロコンピュータ１５は、転送モードの動作を終了する。
【００３５】
ところで、ステップＳ２において、図５に示す「ＰＣへの転送」が選択されていた場合、マイクロコンピュータ１５は、インターフェース部１６によるデータ転送を実行するため、ステップＳ６からステップＳ１３へ動作を移行する。
ここで、マイクロコンピュータ１５は、転送対象リストに挙げられた記録情報の１つをメモリーカード２１から読み出し、インターフェース部１６とケーブル接続されている受信端末へデータ転送を行う（ステップＳ１３）。このような受信端末としては、例えば、手元のコンピュータや、バックアップ装置や、プリント装置などが想定される。このような転送形態は、通信回線（電話回線など）の介在しない転送形態となる。なお、このインターフェース部１６は、ケーブルにより外部機器と接続されるものに限定されず、赤外線や電波などにより外部機器と接続されるものでもよい。
【００３６】
マイクロコンピュータ１５は、インターフェース部１６を介してデータ転送が正常終了するか否かを監視する（ステップＳ１４）。万一、異常終了を検知した場合（ステップＳ１４のＮＯ側）、マイクロコンピュータ１５は、液晶モニタ１９に異常警告を表示して（ステップＳ１５）、転送モードの動作を終了する。
一方、データ転送が正常終了した場合（ステップＳ１４のＹＥＳ側）、マイクロコンピュータ１５は、転送した記録情報のサムネイル画像に、図６に示すようなＰＣアイコン５２を添付表示する（ステップＳ１６）。
【００３７】
マイクロコンピュータ１５は、全ての転送対象について転送処理が完了していない場合（ステップＳ１７のＮＯ側）、ステップＳ１３に戻って上記の転送動作を繰り返す。
また、全ての転送対象について転送処理が完了すると（ステップＳ１７のＹＥＳ側）、マイクロコンピュータ１５は、転送モードの動作を終了する。
【００３８】
上述した一連の動作により、記録情報の転送処理が完了する。
次に、消去モード時の動作について説明する。
（消去モード時の動作）
図７は、消去モード時の動作を示す流れ図である。
電子カメラ１１が消去モードに設定されると、マイクロコンピュータ１５は、液晶モニタ１９に消去方法の選択画面を表示する。この選択画面には、「一括消去」と「マニュアル消去」と「転送済みを消去」とからなる３つの消去方法が選択肢として表示される（ステップＳ２１）。
【００３９】
この状態で、マイクロコンピュータ１５は、選択スイッチ３５，３６の操作入力に従って選択肢のフォーカス表示を交互に移動し、確定スイッチ３７の押圧時点における消去方法の選択結果を取得する（ステップＳ２２）。
マイクロコンピュータ１５は、消去方法の選択結果に従って、記録情報の中から消去対象を選び出す（ステップＳ２３）。
【００４０】
すなわち、「一括消去」の場合には、メモリーカード２１上の全ての記録情報を消去対象に選び出す（ステップＳ２４）。
また、「マニュアル消去」の場合、マイクロコンピュータ１５は、液晶モニタ１９に記録情報のサムネイル画像を配列表示する。この状態で、マイクロコンピュータ１５は、選択スイッチ３５，３６および確定スイッチ３７を介して、操作者による消去対象の手動選択を受け付ける（ステップＳ２５）。
【００４１】
さらに、「転送済みを消去」の場合、マイクロコンピュータ１５は、図６に示したＰＣアイコン５２が添付された記録情報を消去対象に選び出す（ステップＳ２６）。
このような消去対象の選別が終了すると、マイクロコンピュータ１５は、消去対象の記録情報を液晶モニタ１９上にサムネイル表示する（ステップＳ２７）。
【００４２】
ここで、マイクロコンピュータ１５は、確定スイッチ３７および取り消しスイッチ３８のどちらが押圧操作されるかを監視する（ステップＳ２８）。
もしも取り消しスイッチ３８が押された場合、マイクロコンピュータ１５は消去対象の選別に不具合があったと判断し、ステップＳ２１に戻って消去対象の選別を再実行する。
【００４３】
一方、確定スイッチ３７が押された場合、マイクロコンピュータ１５は、次の手順で消去対象の消去を開始する。
まず、マイクロコンピュータ１５は、消去対象に挙げられた記録情報の１つを選択し（ステップＳ２９）、その記録情報の保護属性をメモリーカード２１から取得する（ステップＳ３０）。
【００４４】
この保護属性が「消去を禁止する状態」に設定されている場合、マイクロコンピュータ１５は、その記録情報の消去を行わずに、ステップＳ３４に動作を移行する（ステップＳ３１）。
一方、保護属性が「消去可能な状態」に設定されている場合、その記録情報をメモリーカード２１上から消去する（ステップＳ３２）。また、マイクロコンピュータ１５は、このように消去完了した記録情報について、サムネイル画像の表示を液晶モニタ１９上から逐一に消去する（ステップＳ３３）。
【００４５】
マイクロコンピュータ１５は、全ての消去対象について処理が完了していない場合（ステップＳ３４のＮＯ側）、ステップＳ２９に戻って上記の動作を繰り返す。
また、全ての消去対象について処理が完了すると（ステップＳ３４のＹＥＳ側）、マイクロコンピュータ１５は、消去モードの動作を終了する。
【００４６】
上述した一連の動作により、記録情報の消去処理が完了する。
以上説明した動作により、本実施形態の電子カメラ１１では、転送を完了した記録情報に関して、ＰＣアイコン５２もしくは電話アイコン５１が添付表示される。
したがって、個々の記録情報について転送されたものか否かを、操作者側が意識的に記憶したり、メモなどをとる必要が特になくなる。
【００４７】
また、本実施形態の電子カメラ１１では、記録情報の転送を完了するごとに、ＰＣアイコン５２もしくは電話アイコン５１が追加表示される。このような情報表示の変化により、操作者側は、転送処理の進み具合を確認することができる。さらに、転送処理が異常終了した場合には、図８に示すような状態で液晶モニタ１９の表示が停止する。この状態は、１〜６コマまでの記録情報を昇順に電話回線を介して転送している期間中に、５コマ目で異常終了が発生したケースである。この場合、１〜４コマまでの記録情報には、電話アイコン５１が添付表示されているので、操作者側は、５コマ以降が転送されなかったことを的確に知ることができる。したがって、事後の転送処理においては、残りの５コマ以降について転送を再開することにより、データを重複させずに効率的に転送することが可能となる。
【００４８】
また、本実施形態の電子カメラ１１では、電話回線を介して転送した記録情報には電話アイコン５１が添付表示され、電話回線を介さずに転送した記録情報にはＰＣアイコン５２が添付表示される。
通常、電話アイコン５１が添付された記録情報については、第三者に譲渡されているケースが多く、バックアップが別途に存在する保証はない。
【００４９】
一方、ＰＣアイコン５２が添付された記録情報については、手元のコンピュータ，バックアップ装置もしくはプリント装置などに転送されているケースが多く、バックアップやプリント出力が別途に存在している可能性が、特に高い。
したがって、操作者は、電話アイコン５１のみが添付された記録情報を液晶モニタ１９上で判別することにより、これらの記録情報を消去するか否かを慎重に選別することが可能となる。
【００５０】
一方、操作者は、ＰＣアイコン５２が添付された記録情報を液晶モニタ１９上で判別することにより、これらの記録情報を消去対象に迅速に選ぶことが可能となる。
さらに、本実施形態の電子カメラ１１では、図７のステップＳ２６に示されるように、ＰＣアイコン５２が添付された記録情報を消去対象に自動選択する自動選択手段を備えている。このような機能により、バックアップやプリント出力の存在する可能性が高いものを、記録情報の中から自動的に選別し、消去することが可能となる。したがって、記録情報の消去作業における操作性が大幅に向上する。
【００５１】
なお、本実施形態では、液晶モニタ１９にサムネイル画像を配列表示する場合について説明したが、これに限定されるものではない。例えば、図９に示すように、液晶モニタ１９に一つの記録情報を全面表示してもよい。この場合には、選択スイッチ３５，３６を用いて記録情報のコマ送りを行うことにより、操作者は所望の記録情報を選択的に観ることが可能となる。このとき、画面の一部にＰＣアイコン５２もしくは電話アイコン５１を添付表示することにより、転送済みの情報表示がなされる。
【００５２】
また、本実施形態では、転送時の転送形態に応じて、ＰＣアイコン５２と電話アイコン５１とを区別して表示しているが、これに限定されるものではなく、転送時の転送先に応じて情報表示の表示形態を変更してもよい。例えば、電話回線を介してデータ転送を行う際に、被呼端末のダイアル番号ごとに情報表示の表示形態を変更してもよい。また、ＵＳＢ（ユニバーサルシリアルバス）などのインターフェース部１６を介してデータ転送を行う場合には、相手先を示すＩＤ番号ごとに、情報表示の表示形態を変更してもよい。このような情報表示により、操作者は、個々の記録情報の転送先を的確に知り、消去すべきか否かなどの有益な判断材料とすることができる。
【００５３】
さらに、本実施形態では、通信回線の一種として電話回線を挙げて説明しているが、これに限定されるものではない。一般的な通信回線としては、インターネットなどの通信網や無線通信網なども含まれる。
また、本実施形態では、電子カメラ１１が消去機能を有しているが、これに限定されるものではない。一般に、本発明による情報表示は、消去機能を有しない電子カメラにおいても有益である。例えば、メモリーカード２１を別装置で消去する際に、電子カメラ側の情報表示を参照することにより、消去対象を的確に選別することが可能となる。
【００５４】
さらに、本実施形態では、電話アイコン５１およびＰＣアイコン５２を用いて情報表示を行っているが、この表示形態に限定されるものではない。例えば、サムネイル画像の枠表示の形態，枠表示の色，文字，記号その他の表示形態を用いて、情報表示を行ってもよい。
また、本実施形態において、同一の記録情報を複数回にわたって外部転送した場合に、その転送回数を識別できるような表示を行ってもよい。例えば、転送回数と等しい数のアイコンを表示してもよいし、アイコン表示の真ん中に転送回数を表示するなどしてもよい。このような表示により、操作者は、記録情報の転送回数を的確に知り、転送すべき所に全て転送したか否かなどの有益な判断材料とすることができる。
【００５５】
【発明の効果】
以上説明したように、請求項１に記載の発明では、転送を完了した記録情報を示す縮小表示用画像に、転送済みを示す情報が付与される。
したがって、操作者は、転送済みの記録情報か否かを情報表示から識別することができる。その結果、個々の記録情報について転送されたものか否かを、操作者が意識的に記憶したり、メモなどをとる必要がなくなる。
さらに、請求項１に記載の発明では、転送時の転送形態もしくは転送先に応じて、情報表示の表示形態を変更する。したがって、転送済みか否かのみならず、転送時の転送形態もしくは転送先までも情報表示から識別することが可能となる。
その結果、操作者は、転送時の転送形態もしくは転送先の違いに基づいて、消去対象の選別作業などを的確かつ慎重に行うことが可能となる。
【００５６】
請求項２に記載の発明では、記録情報の転送を完了するごとに、転送済みの情報が、対応する縮小表示用画像に逐次表示される。
このような情報表示の変化により、操作者側は、転送処理の進み具合を確認することができる。
また、転送処理が異常終了した場合には、その時点に転送完了している記録情報を、情報表示から容易に判別することができる。
【００５７】
したがって、操作者側は、転送されなかった記録情報について事後の転送処理を重複なく行うことが可能となる。
【００５８】
請求項３に記載の発明では、通信回線を介して転送したか否かを少なくとも識別可能に表示する。
通常、電子カメラから通信回線を介して記録情報を転送した場合、記録情報は第三者に譲渡されているケースが多く、バックアップはなされていないことが多い。請求項３の電子カメラでは、操作者が、このようなケースを情報表示から判別できるので、消去対象の選別作業などを的確かつ慎重に行うことが可能となる。
請求項４にかかわる電子カメラでは、操作者は、転送済みの表示を、転送すべき所に全て転送したか否かなどの有益な判断材料とすることができる。
【図面の簡単な説明】
【図１】  本発明を説明する原理ブロック図である。
【図２】  実施形態の構成を示す図である。
【図３】  本実施形態の外観（背面側）を示す斜視図である。
【図４】  転送モード時の動作を示す流れ図である。
【図５】  転送形態の選択画面を示す図である。
【図６】  転送完了後の画面表示を示す図である。
【図７】  消去モード時の動作を示す流れ図である。
【図８】  転送動作が異常終了した際の画面表示を示す図である。
【図９】  全面表示を行った際の画面表示を示す図である。
【図１】
0004413285.tif 000002
【図２】
0004413285.tif 000003
【図３】
0004413285.tif 000004
【図４】
0004413285.tif 000005
【図５】
0004413285.tif 000006
【図６】
0004413285.tif 000007
【図７】
0004413285.tif 000008
【図８】
0004413285.tif 000009
【図９】
0004413285.tif 000010